(57)【特許請求の範囲】
【請求項１】
陽イオン交換液体クロマトグラフィーを用いた安定型糖化ヘモグロビンＡ１ｃの分析において、安定型糖化ヘモグロビンＡ１ｃピークと成人型ヘモグロビンＡ０ピークの間に出現するピークを分離し検出した際に、陽イオン交換液体クロマトグラフィーによって得られた安定型糖化ヘモグロビンＡ１ｃ値に１．１〜１．４の範囲にある係数を乗じて補正することを特徴とする安定型糖化ヘモグロビンＡ１ｃの定量方法。
【請求項２】
前記安定型糖化ヘモグロビンＡ１ｃピークと成人型ヘモグロビンＡ０ピークの間に出現するピークが、異常ヘモグロビンＥである請求項１記載の安定型糖化ヘモグロビンＡ１ｃの定量方法。
【発明の詳細な説明】
【技術分野】
【０００１】
本発明は、液体クロマトグラフィーにより血液試料中の糖化ヘモグロビンを測定する方法に関するものである。より詳しくは、異常ヘモグロビンを含有する血液試料が混在する可能性のある血液試料群において、糖尿病診断の指標となる糖化ヘモグロビンの測定に関するものである。
【背景技術】
【０００２】
ＨＰＬＣ法による陽イオンクロマトグラフィー法を用いたヘモグロビン類の分析は、糖尿病、先天性溶血性貧血の一種である異常ヘモグロビン症、サラセミア症などの血色素異常症の診断方法として広く利用されている。
【０００３】
ＨＰＬＣ法を用いた糖尿病診断では、ヘモグロビンの糖化率を求めるため、血液中の総ヘモグロビン量と安定型糖化ヘモグロビンＡ１ｃ（以下ＨｂＡ１ｃとする）量を定量し、その比から安定型糖化ヘモグロビンＡ１ｃの存在率（以下ＨｂＡ１ｃ％とする）を得ている。より具体的には、検出したすべてのピークのピーク面積を加算した総ピーク面積とＨｂＡ１ｃピークのピーク面積の比よりＨｂＡ１ｃ％を算出している。健常人では血液中のヘモグロビンの９５％以上は成人型ヘモグロビン（ＨｂＡ０）であるため、ＨｂＡ１ｃ％を得るには検体中の総ヘモグロビン量とＨｂＡ０由来の安定型糖化ヘモグロビン量を定量するのみでよい。
【０００４】
ＨｂＡ０はα鎖とβ鎖の２種類のグロブリン鎖からなっている。しかし、先天性遺伝子疾患である異常ヘモグロビン症の患者は、先天性のグロブリン鎖の合成異常により、ＨｂＡ０のほかに、突然変異による異常グロビン鎖からなる異常ヘモグロビンも有している。代表的な異常ヘモグロビン種として知られているヘモグロビンＳ（以下、ＨｂＳとする）はβ鎖６残基目ＧｌｕがＶａｌに置き換わったものであり、ヘモグロビンＣ（以下、ＨｂＣとする）はβ鎖６残基目ＧｌｕがＬｙｓに、異常ヘモグロビンＤ（以下、ＨｂＤとする）はβ鎖１２１残基目ＧｌｕがＧｌｎに置き換わったものである。
【０００５】
ＨＰＬＣ法で異常ヘモグロビン症患者のＨｂＡ１ｃ％を測定する方法として、検体中の異常ヘモグロビンを定量し、総ヘモグロビン量から異常ヘモグロビン量を減じて補正をする方法や、異常ヘモグロビン由来の糖化ヘモグロビン成分も同定・定量測定し、測定値を補正する方法が利用されている。
【０００６】
ＨｂＤ、ＨｂＳ、ＨｂＣおよびこれらの糖化成分は、陽イオンクロマトグラフィーに用いられるカラム充填剤との相互作用がＨｂＡ０あるいはＨｂＡ１ｃと大きく異なるため容易にＨＰＬＣで分離でき、各成分を定量することが可能であることから上記補正を行うことも比較的容易である。
【０００７】
しかし、東南アジア地域・インド地域で多くみられる異常ヘモグロビンであるヘモグロビンＥ（以下、ＨｂＥとする）はβ鎖２６残基目ＧｌｕがＬｙｓに置き換わった異常ヘモグロビンであり、陽イオン交換体との相互作用がＨｂＡ０と近いため、ＨｂＤ、ＨｂＳおよびＨｂＣのように簡単に分離し成分を定量する事が困難であった。このため、ＨｂＥを含む検体のＨｂＡ１ｃ％を得るためには、分析時間を長くしてＨｂＡ０とＨｂＥを分離するか、ＨｂＡ０とＨｂＥが十分に分離できていない状態から高度な積分計算を用いて、ＨｂＥを定量する必要があった。
【０００８】
ＨＰＬＣ法の先行技術として、ＨｂＥを含有する血液試料に特有なピークを用いて、このピーク面積に基づいてＨｂＡ１ｃのピーク面積又は全ヘモグロビンのピーク面積を補正してＨｂＡ１ｃ％を算出する方法も報告されている（特許文献１）。しかし、この方法では、ＨｂＥ含有血液試料に特有なピークを分離すること、更にそのピーク面積を正確に算出することが必要であるため、臨床診断の精度を維持したまま、分析時間の短縮を実現することは困難であった。
【先行技術文献】
【特許文献】
【０００９】
【特許文献１】特開２０１２−２１５４７０号公報
【特許文献２】特開平３−２５５３６０号公報
【発明の概要】
【発明が解決しようとする課題】
【００１０】
ＨｂＡ１ｃ％の測定を実施すべき血液試料がＨｂＥを含有する場合、これまでのＨＰＬＣ法では、ＨｂＥを含有する血液試料に特有なピークを分離し、このピーク面積を正確に算出する必要があった。しかしながら臨床診断の精度を維持したまま、分析時間の短縮を実現することは困難であり、課題であった。更に免疫法（以下、ＡＩＡ法と記載することがある）等と比較して、陽イオンクロマトグラフィー法はＨｂＥを特異的に短時間で分離することが困難であるという課題があった。
【課題を解決するための手段】
【００１１】
そこで本発明では、ＨｂＥを含む血液試料中のＨｂＡ１ｃ％をＨＰＬＣ法によって測定する際に、不可欠な要素とされていたＨｂＡ０からＨｂＥを分離しヘモグロビン定量することや、ＨｂＥを含有する血液試料に特有なピークを正確に定量しなくとも、短時間かつ簡便に正確なＨｂＡ１ｃ％を測定する方法を見出し、本発明を完成するに至った。
【００１２】
すなわち本発明は、
［１］陽イオン交換液体クロマトグラフィーを用いた安定型糖化ヘモグロビンＡ１ｃの分析において、安定型糖化ヘモグロビンＡ１ｃピークと成人型ヘモグロビンＡ０ピークの間に出現するピークを分離し検出した際に、陽イオン交換液体クロマトグラフィーによって得られた安定型糖化ヘモグロビンＡ１ｃ値に１．１〜１．４の範囲にある係数を乗じて補正することを特徴とする安定型糖化ヘモグロビンＡ１ｃの定量方法。
［２］前記安定型糖化ヘモグロビンＡ１ｃピークと成人型ヘモグロビンＡ０ピークの間に出現するピークが、異常ヘモグロビンＥである［１］記載の安定型糖化ヘモグロビンＡ１ｃの定量方法。
に関するものである。
【発明の効果】
【００１３】
本発明のような安定型糖化ヘモグロビンＡ１ｃピークと成人型ヘモグロビンＡ０ピークの間にピークが存在する場合にはＨｂＡ１ｃ％に係数を乗じて補正することで、短時間で、かつ連続して異常ヘモグロビンを含む、または含まない検体をランダムに測定するヘモグロビン分析計が提供可能となった。従って、短時間かつ簡単にヘモグロビンＥ保有者のＨｂＡ１ｃ％を他の検体と同様に測定することが可能となった。
【図面の簡単な説明】
【００１４】
【図１】健常人検体のクロマトグラム例を示す図である
【図２】異常ヘモグロビン症（ヘモグロビンＡＥ）のクロマトグラム例を示す（例１）図である
【図３】異常ヘモグロビン症（ヘモグロビンＡＥ）のクロマトグラム例を示す（例２）図である
【図４】異常ヘモグロビン症（ヘモグロビンＡＳ）のクロマトグラム例を示す図である
【図５】参考例１でのＨｂＥ検体測定値と免疫法の測定値との差を示す図である
【図６】実施例１でのＨｂＥ検体測定値と免疫法の測定値との差を示す図である
【図７】比較例１での異常ヘモグロビン症を含む検体群での免疫法の測定値との相関を示す図である
【図８】実施例２での異常ヘモグロビン症を含む検体群での免疫法の測定値との相関を示す図である
【発明を実施するための形態】
【００１５】
以下に本発明を詳細に説明する。本明細書における陽イオン交換液体クロマトグラフィーについて説明する。陽イオン交換カラムは非多孔性架橋ポリマー粒子に陽イオン交換基を導入した充填剤より作製されるが、非多孔性架橋ポリマー粒子の合成方法は限定されず公知の懸濁重合法、乳化重合法、シード重合法、沈殿重合法などが利用できる。また本発明において非多孔性架橋ポリマー粒子に限らず、多孔性架橋ポリマーを使用することができる。
【００１６】
また合成に用いるモノマーおよび架橋剤は特に限定されるものではないが、親水性メタクリル酸およびアクリルエステル類が望ましい。モノマーとしてヒドロキシエチルメタクリレート、ヒドロキシエチルアクリレート、ヒドロキシプロピルアクリレート、グリセリンメタクリレート、ポリエチレングリコールメタクリレート、ポリエチレングリコールアクリレートなどを挙げることができる。
【００１７】
架橋剤としては、エチレングリコールジメタクリレート、ジエチレングリコールジメタクリレート、トリエチレングリコールジメタクリレート、グリセリンジメタクリレートなどが挙げられる。
【００１８】
非多孔性架橋ポリマー粒子を使用する場合は表面に陽イオン交換基を導入する方法に特に限定はなく、公知の導入方法が利用可能である。導入する陽イオン交換基としてはスルホプロピル基、スルホエチル基、カルボキシルメチル基などが挙げられる。多孔性架橋ポリマーを使用する際も同様の例示を挙げることができる。
【００１９】
また、使用するＨＰＬＣ法は限定されないが、短い分析時間でＨｂＥ由来成分が同定できるＨＰＬＣ法が望ましい。溶離液も特に限定されず、コハク酸、クエン酸などの有機酸とその塩からなる緩衝液およびリン酸などの無機酸とその塩からなる緩衝液、もしくは有機酸と無機酸の両者を混同して使用することができる。必要に応じで緩衝液にその他の塩、たとえば塩化ナトリウム、硝酸ナトリウム、硫酸ナトリウムなどを加えることもできる。
【００２０】
ＨｂＡ１ｃは、糖尿病診断に用いられ、ヘモグロビンの糖化率は、血液中の総ヘモグロビン量とＨｂＡ１ｃ量を定量することで求められる。
【００２１】
成人型ヘモグロビンＡ０は、ＨｂＤ、ＨｂＥ、ＨｂＳ、ＨｂＣ等の先天性の変異型が存在することが知られており、陽イオン交換クロマトグラフィーにおいて、ＨｂＡ１ｃよりも遅れて溶出することが一般的である。また、本発明の態様において同一検体中に、ＨｂＥに加えてＨｂＤ、ＨｂＳ、ＨｂＣの少なくとも一つが一つの検体において検出された場合は、本発明の方法を用いてＨｂＡ１ｃ値を補正するのと同時又はその前後に公知の方法によってＨｂＤ、ＨｂＳ、ＨｂＣを考慮する補正をしても良い。
【００２２】
安定型糖化ヘモグロビンＡ１ｃ値を１．１〜１．４の範囲にある係数を乗じて補正する手段として、好ましい係数の範囲は１．１から１．４、より好ましくは１．２から１．３の値、更に好ましくは１．２５を用いると良い。なお、前記係数の範囲は、本発明者らは前記課題を達成するために鋭意検討した結果、ＨｂＥとＨｂＡ０を有する検体（ＨｂＡＥ）のＨｂＥの存在率は２０−３０％でありほぼ２５％とみなせる事（Ｓｅｅｍａ  Ｒａｏ  ｅｔ．ａｌ．，Ｉｎｄｉａｎ  Ｊ  Ｍｅｄ  Ｒｅ  、２０１０年１１月、１３２巻、ｐ．５１３−５１９．、Ｍａｒｔｉｎ  Ｈ．Ｓｔｅｉｎｂｅｒｇ，Ｈｅｍｏｇｌｏｂｉｎｏｐａｔｈｉｅｓ，ｐ．４５３−４７３．等）、そしてＨｂＥが存在する検体のＨｂＡ１ｃ％が免疫法などに比べて約２５％低い事を見出したことから導き出した範囲である。
【実施例】
【００２３】
次に本発明を実施例及び参考例によってさらに詳細に説明するが、本発明はこれらに限定されるものではない。
【００２４】
参考例１
遺伝子分析によりＨｂＥの存在が確認された検体を代表的なＨＰＬＣ法と免疫法でＨｂＡ１ｃ％を求めた。ＨＰＬＣ法には非多孔性陽イオン交換体カラムを装備した東ソー製自動グリコヘモグロビン分析計ＨＬＣ−７２３Ｇ８を使用し、免疫法にはＨｂＥを含む異常ヘモグロビンの影響を受けずＨｂＡ１ｃ％が測定可能なＲｏｃｈｅ製の分析機を使用した。なお、いずれの測定法においてもＨｂＡ１ｃ値の補正は行わなかった。
【００２５】
図１及に健常人のクロマトグラム例を示し、図２及び図３にＨｂＥを保有する患者検体のクロマトグラム例を示す。図２及び図３中の矢印の位置に健常人にはなく、ＨｂＥ保有者のみに出現するピークがある。
図４に別の異常ヘモグロビン症患者（ＨｂＳ）のクロマトグラム例を示す。ここではＨｂＡ０ピークから大きくはなれた位置にＨｂＳのピークが出現しているが、図２及び図３中の矢印の位置に見られるピークはなく、図２及び図３中の矢印で示したピークがＨｂＥに特定のピークであると判断できる。このピーク（図２及び図３中の矢印）を検出することで、ＨｂＥを含む検体を容易に識別でき、他の検体と分けることが可能となる。
図５に示すようにＨＰＬＣ法は免疫法と比べてすべての検体で低値を示していた。
【００２６】
実施例１
後述の比較例１のＨＰＬＣ法のＨｂＡ１ｃ％に補正係数１．２５を乗じ、補正したＨｂＡ１ｃ値よりＨｂＡ１ｃ％を求めた。結果を図６に示す。
ＨｂＡ１ｃ％の値に関係なくすべての検体でＨＰＬＣ法と免疫法の差は０．１％以内となった。
【００２７】
比較例１
ＨｂＥを含む検体とＨｂＥを含まない検体からなる検体群をＨＰＬＣ法と免疫法で測定した。
測定条件は参考例１と同じ。図７に両者を比較したＨｂＡ１ｃ％の相関図を示す。良好な相関性を示す群（図中、白丸）とＨＰＬＣ法が低値を示す群（図中、黒丸）に分かれた。ＨｂＥを含む検体群で両者の乖離がある。
【００２８】
実施例２
ＨＰＬＣ法の東ソー製自動グリコヘモグロビン分析計ＨＬＣ−７２３Ｇ８にＨｂＡ１ｃピークとＨｂＡ０ピーク間に出現するＨｂＥに特有なピークを検出させ、検出した場合にＨｂＡ１ｃ％を自動補正させるようにし、比較例１と同じ検体群を測定した。補正条件は実施例１と同じとした。
図８に相関性の結果を示す。比較例１で乖離していた検体群（図７中、黒丸）はすべてＨｂＥ含有検体を認識され自動補正により免疫法とほぼ同値を示した。
【００２９】
従来のＨｂＥとＨｂＡ０を分離するよりも分離が簡単で、短時間にＨｂＥの存在を検出でき、ピークが検出された検体をＨｂＥ検体として扱い、本発明の方法により補正することでＨｂＥを含まない検体には影響をあたえることなく、ＨｂＥを含む検体を補正することができる。
【図１】
0006492856.tif 000002
【図２】
0006492856.tif 000003
【図３】
0006492856.tif 000004
【図４】
0006492856.tif 000005
【図５】
0006492856.tif 000006
【図６】
0006492856.tif 000007
【図７】
0006492856.tif 000008
【図８】
0006492856.tif 000009